(57)【要約】【課題】高調波電流の限度値の規格を満足し、かつ消費電力の低減を図ることができる電源回路、点灯装置、及び照明装置を提供する。【解決手段】電源回路１は、光源の制御に関わる機能を追加する機能モジュールの出力に基づいて、光源を点灯させる点灯部を制御する制御部に電力を供給する。電源回路１は、整流部１１と平滑部１２と電圧変換部１３とを備える。平滑部１２は、整流部１１の出力端間に電気的に直列接続されたコンデンサＣ１とインピーダンス要素１２１とを含む直列回路１２０を有する。電源回路１は、直列回路１２０の両端間の抵抗値を、複数の値に設定可能な抵抗調整部１４を更に備える。抵抗調整部１４は、抵抗値を、複数の値から選択された１つの選択値に設定する。【選択図】図２
2019068615.tif 000002
【特許請求の範囲】
【請求項１】
光源の制御に関わる機能を追加する機能モジュールの出力に基づいて、前記光源を点灯させる点灯部を制御する制御部に、電力を供給する電源回路であって、
交流電圧を整流する整流部と、
前記整流部の出力電圧を平滑する平滑部と、
前記平滑部によって平滑された電圧を所定電圧に変換して前記制御部に出力する電圧変換部と、を備え、
前記平滑部は、前記整流部の出力端間に電気的に直列接続されたコンデンサとインピーダンス要素とを含む直列回路を有し、
前記直列回路の両端間の抵抗値を、複数の値に設定可能な抵抗調整部を更に備え、
前記抵抗調整部は、前記抵抗値を、前記複数の値から選択された１つの選択値に設定する
ことを特徴とする電源回路。
【請求項２】
前記抵抗調整部は、
前記インピーダンス要素と電気的に並列接続され、前記インピーダンス要素の両端を短絡する状態と短絡しない状態とに切り替えるスイッチと、
前記スイッチを制御するスイッチ制御部と、を有する
ことを特徴とする請求項１に記載の電源回路。
【請求項３】
前記制御部は、複数種類の前記機能モジュールのうち少なくとも１種類の前記機能モジュールが接続され、
前記選択値は、前記制御部に接続された前記機能モジュールの種類に関するモジュール情報が含まれる選択情報に基づいた値である
ことを特徴とする請求項１又は２に記載の電源回路。
【請求項４】
前記点灯部は、複数種類の前記光源のうち少なくとも１種類の前記光源が接続され、
前記選択情報には、前記点灯部に接続された前記光源の種類に関する光源情報が含まれる
ことを特徴とする請求項３に記載の電源回路。
【請求項５】
前記モジュール情報には、前記制御部に接続された前記機能モジュールである、周囲の環境情報を取得するセンサの種類に関する情報が含まれる
ことを特徴とする請求項３又は４に記載の電源回路。
【請求項６】
ユーザ操作を受け付ける操作部と、
前記操作部が出力する操作信号に基づいて、前記複数の値から前記選択値を選択する選択部と、を備える
ことを特徴とする請求項１〜５のいずれか１項に記載の電源回路。
【請求項７】
前記選択情報を取得する取得部と、
前記取得部が取得した前記選択情報に基づいて、前記複数の値から前記選択値を選択する選択部と、を備える
ことを特徴とする請求項３又は４に記載の電源回路。
【請求項８】
請求項１〜７のいずれか１項に記載の電源回路と、
光源を点灯させる点灯部と、
前記電源回路から電力が供給され、前記光源の制御に関わる機能を追加する機能モジュールの出力に基づいて前記点灯部を制御する制御部と、を備える
ことを特徴とする点灯装置。
【請求項９】
請求項８に記載の点灯装置と、
前記点灯部によって点灯される光源と、
前記制御部に電気的に接続され、前記光源の制御に関わる機能を追加する機能モジュールと、を備える
ことを特徴とする照明装置。
【発明の詳細な説明】
【技術分野】
【０００１】
本発明は、一般に電源回路、点灯装置、及び照明装置に関し、より詳細には、交流電圧が入力される電源回路、及びこれを備えた点灯装置、照明装置に関する。
【背景技術】
【０００２】
特許文献１は、発光ダイオード（LED:Light Emitting Diode）を光源とするＬＥＤ駆動回路（点灯装置）を開示する。特許文献１のＬＥＤ駆動回路は、照度センサと、センサ用電源回路と、照度レベル検出回路と、輝度設定レジスタと、輝度制御回路と、ＬＥＤ用電源回路とを備える。センサ用電源回路は、該照度センサに電圧を供給する。照度レベル検出回路は、照度センサで得られた照度電圧から照度レベルを検出する。輝度設定レジスタは、該照度レベル検出回路で検出した照度レベルに応じて特定の調光データが選択される。輝度制御回路は、該輝度設定レジスタで選択された調光データに応じて輝度信号を発生する。ＬＥＤ用電源回路は、該輝度制御回路からの輝度信号によってＬＥＤを調光駆動する。
【先行技術文献】
【特許文献】
【０００３】
【特許文献１】特開２００４−２３３５６９号公報
【発明の概要】
【発明が解決しようとする課題】
【０００４】
特許文献１では、外部電源に、ＬＥＤ用電源回路だけではなく、センサ用電源回路も接続されている。従来、このようなセンサ用電源回路の消費電流は、光源用の電源回路の消費電流に比べて小さく、電流のひずみに対する影響は少なかった。しかしながら、近年、光源として良く利用されているＬＥＤは、従来から光源として利用されていた蛍光灯に比べれば、消費電流が小さい。そのため、センサ用電源回路の消費電流に含まれる高調波電流（歪み電流）の影響が相対的に大きくなる。結果として、点灯装置の消費電流に対する高調波電流の影響が無視できなくなり、高調波電流の限度値の規格を満足できなくなるおそれがある。また、高調波電流を抑制するために制限抵抗を設けた場合、制限抵抗での消費電力が発生する。
【０００５】
本開示は、上記事由に鑑みてなされており、その目的は、高調波電流の限度値の規格を満足し、かつ消費電力の低減を図ることができる電源回路、点灯装置、及び照明装置を提供することにある。
【課題を解決するための手段】
【０００６】
本開示の一態様に係る電源回路は、光源の制御に関わる機能を追加する機能モジュールの出力に基づいて、前記光源を点灯させる点灯部を制御する制御部に、電力を供給する。前記電源回路は、整流部と、平滑部と、電圧変換部と、を備える。前記整流部は、交流電圧を整流する。前記平滑部は、前記整流部の出力電圧を平滑する。前記電圧変換部は、前記平滑部によって平滑された電圧を所定電圧に変換して前記制御部に出力する。前記平滑部は、前記整流部の出力端間に電気的に直列接続されたコンデンサとインピーダンス要素とを含む直列回路を有する。前記電源回路は、前記直列回路の両端間の抵抗値を、複数の値に設定可能な抵抗調整部を更に備える。前記抵抗調整部は、前記抵抗値を、前記複数の値から選択された１つの選択値に設定する。
【０００７】
本開示の一態様に係る点灯装置は、前記電源回路と、光源を点灯させる点灯部と、前記電源回路から電力が供給され、光源の制御に関わる機能を追加する機能モジュールの出力に基づいて前記点灯部を制御する制御部と、を備える。
【０００８】
本開示の一態様に係る照明装置は、前記点灯装置と、前記点灯部によって点灯される光源と、前記制御部に電気的に接続され、光源の制御に関わる機能を追加する機能モジュールと、を備える。
【発明の効果】
【０００９】
本開示の電源回路、点灯装置、及び照明装置では、高調波電流の限度値の規格を満足し、かつ消費電力の低減を図ることができるという効果がある。
【図面の簡単な説明】
【００１０】
【図１】図１は、本開示の一実施形態に係る電源回路を含む照明装置のブロック図である。
【図２】図２は、同上の電源回路のブロック図である。
【図３】図３は、アクティブ型人感センサを備える照明装置の斜視図である。
【図４】図４は、パッシブ型人感センサを備える照明装置の斜視図である。
【図５】図５は、無線ユニットを備える照明装置の斜視図である。
【図６】図６は、本開示の一実施形態に係る電源回路の動作説明図である。
【図７】図７は、本開示の一実施形態の第１変形例に係る電源回路のブロック図である。
【図８】図８は、本開示の一実施形態のその他の変形例に係る電源回路のブロック図である。
【図９】図９は、本開示の一実施形態のその他の変形例に係る別構成の電源回路のブロック図である。
【発明を実施するための形態】
【００１１】
以下に説明する各実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１２】
（１）概要
本実施形態に係る照明装置１００のブロック図を図１に示す。本実施形態の照明装置１００は、点灯装置１０と、機能モジュール４と、光源５と、を備えている。照明装置１００は、交流電源６からの電力供給により、光源５を点灯させるように構成されている。光源５は、例えばＬＥＤ（Light Emitting Diode）を備えている。機能モジュール４は、例えば、センサ（人感センサ、明るさセンサ）、無線ユニット等である。
【００１３】
点灯装置１０は、電源回路１と、点灯部３と、制御部２と、を備えている。
【００１４】
電源回路１は、交流電源６から入力された交流電圧を所定の直流電圧に変換して制御部２に出力する。制御部２は、機能モジュール４の出力に基づいて、点灯部３を制御する。点灯部３は、交流電源６から入力された交流電圧を所定の直流電圧（点灯電圧）に変換して光源５に出力することにより、光源５を点灯させる。
【００１５】
電源回路１は、整流部１１と、平滑部１２と、電圧変換部１３と、抵抗調整部１４と、を備えている。
【００１６】
整流部１１は、交流電源６から入力された交流電圧を整流（全波整流、半波整流）する。平滑部１２は、整流部１１の出力電圧を平滑する。具体的には、図２に示すように、平滑部１２は、整流部１１の出力端間に電気的に接続された直列回路１２０を有している。直列回路１２０は、電気的に直列接続されたコンデンサＣ１とインピーダンス要素１２１とを有する。本実施形態では、インピーダンス要素１２１は、固定抵抗器Ｒ１である。電圧変換部１３は、平滑部１２によって平滑された電圧を所定の直流電圧（制御電圧）に変換して制御部２に出力する。
【００１７】
抵抗調整部１４は、平滑部１２における直列回路１２０の両端間の抵抗値を、複数の値に設定可能に構成されている。抵抗調整部１４は、直列回路１２０の両端間の抵抗値を、複数の抵抗値から選択された１つの抵抗値（選択値）に設定する。具体的には、抵抗調整部１４は、抵抗調整部１４は、スイッチＱ１と、スイッチ制御部１４１と、を備えている。
【００１８】
スイッチＱ１は、インピーダンス要素１２１（固定抵抗器Ｒ１）の両端間に電気的に接続されている。スイッチ制御部１４１は、スイッチＱ１を制御する。スイッチ制御部１４１が、スイッチＱ１をオン状態とオフ状態とに切り替えることにより、直列回路１２０の両端間の抵抗値が第１抵抗値と第２抵抗値とに切り替えられる。つまり、抵抗調整部１４は、第１抵抗値と第２抵抗値との一方を選択値として、直列回路１２０の両端間の抵抗値に設定する。ここでは、コンデンサＣ１の抵抗値（インピーダンス）を無視している。
【００１９】
本実施形態の電源回路１では、抵抗調整部１４が、平滑部１２における直列回路１２０の抵抗値を、複数の値から選択された選択値に設定する。これにより、電源回路１を備える照明装置１００は、高調波電流の限度値の規格を満足し、かつ消費電力の低減を図ることができる。
【００２０】
（２）詳細
以下に、本実施形態の照明装置１００の詳細な構成について参照して説明する。
【００２１】
（２．１）電源回路
まず、電源回路１の構成について図１、図２を参照して説明する。
【００２２】
電源回路１は、整流部１１と、平滑部１２と、電圧変換部１３と、抵抗調整部１４と、選択部１５と、操作部１６と、を備えている。
【００２３】
整流部１１は、例えば複数のダイオードを有するダイオードブリッジ回路（整流回路）である。本実施形態では、整流部１１は、全波整流回路である。整流部１１には、交流電源６（例えば商用電源）から交流電圧が入力される。整流部１１は、交流電圧を全波整流して出力する。
【００２４】
平滑部１２は、整流部１１の後段に電気的に接続されており、整流部１１の出力電圧を平滑する。具体的には、図２に示すように、平滑部１２は、コンデンサインプット型の平滑回路であり、整流部１１の出力端間に電気接続された直列回路１２０を有している。直列回路１２０は、直列接続されたコンデンサＣ１と、インピーダンス要素１２１とを有する。コンデンサＣ１は、例えば電解コンデンサである。コンデンサＣ１の容量は、例えば１１〔μＦ〕である。本実施形態では、インピーダンス要素１２１は、固定抵抗器Ｒ１である。固定抵抗器Ｒ１の抵抗値は、例えば５〔ｋΩ〕である。インピーダンス要素１２１（固定抵抗器Ｒ１）は、コンデンサＣ１に直列接続されることにより、コンデンサＣ１に供給される充電電流を制限する制限抵抗として機能する。
【００２５】
電圧変換部１３は、平滑部１２の後段に電気的に接続されている。電圧変換部１３は、例えば降圧チョッパ回路である。電圧変換部１３は、入力電圧を所定の直流電圧（制御電圧）に変換し、制御部２に出力する。また、電圧変換部１３は、機能モジュール４に制御電圧を出力するように構成されていてもよい。つまり、電源回路１は、制御部２及び機能モジュール４に電力を供給するように構成されていてもよい。
【００２６】
抵抗調整部１４は、平滑部１２における直列回路１２０の両端間の抵抗値を、複数の値に設定可能に構成されている。抵抗調整部１４は、直列回路１２０の両端間の抵抗値を、複数の値から選択された１つの抵抗値（選択値）に設定する。具体的には、図２に示すように、抵抗調整部１４は、スイッチＱ１と、スイッチ制御部１４１と、を備えている。スイッチＱ１は、例えばＦＥＴ（Field Effect Transistor）、バイポーラトランジスタ等の半導体スイッチであり、固定抵抗器Ｒ１（インピーダンス要素１２１）と電気的に並列接続されている。スイッチＱ１は、固定抵抗器Ｒ１（インピーダンス要素１２１）の両端を短絡する状態（オン状態）と短絡しない状態（オフ状態）とに切り替える。なお、スイッチＱ１は、半導体スイッチに限らずメカニカルスイッチであってもよい。
【００２７】
スイッチ制御部１４１は、スイッチＱ１のオン／オフを制御する。スイッチ制御部１４１は、例えば、メモリ及びプロセッサを備えるマイクロコントローラで構成される。つまり、プロセッサがメモリに格納されたプログラムを実行することで、マイクロコントローラがスイッチ制御部１４１して機能する。
【００２８】
抵抗調整部１４は、固定抵抗器Ｒ１に並列接続されたスイッチＱ１をオン／オフすることにより、直列回路１２０の両端間の抵抗値を、２つの抵抗値（第１抵抗値、第２抵抗値）から選択される１つの抵抗値（選択値）に設定することができる。第１抵抗値は、スイッチＱ１がオフ状態である場合における直列回路１２０の両端間の抵抗値である。第２抵抗値は、スイッチＱ１がオン状態である場合における直列回路１２０の両端間の抵抗値である。第１抵抗値は、第２抵抗値よりも大きい値である。抵抗調整部１４は、スイッチＱ１をオフすることにより、第１抵抗値を選択値として、直列回路１２０の両端間の抵抗値に設定する。また、抵抗調整部１４は、スイッチＱ１をオンすることにより、第２抵抗値を選択値として、直列回路１２０の両端間の抵抗値に設定する。なお、ここでは、コンデンサＣ１の抵抗値（インピーダンス）を無視している。
【００２９】
選択部１５は、操作部１６からの操作信号に基づいて、複数の値（第１抵抗値、第２抵抗値）から、抵抗調整部１４が直列回路１２０の両端間の抵抗値に設定する選択値を選択する。抵抗制御部は、直列回路１２０の両端間の抵抗値を、選択部１５から受け取った選択値に設定する。選択部１５は、例えば、メモリ及びプロセッサを備えるマイクロコントローラで構成される。つまり、プロセッサがメモリに格納されたプログラムを実行することで、マイクロコントローラが選択部１５して機能する。なお、選択部１５とスイッチ制御部１４１とは、１つのマイクロコントローラで構成されていてもよい。つまり、プロセッサがメモリに格納されたプログラムを実行することで、マイクロコントローラがスイッチ制御部１４１、及び選択部１５して機能する。
【００３０】
選択部１５による選択値の選択については、後述の「（３）動作例」の欄で詳細に説明する。
【００３１】
操作部１６は、ユーザからの操作（ユーザ操作）を受け付けるように構成されている。ここでのユーザは、例えば照明装置１００の組み立ての作業者である。本実施形態の操作部１６は、ディップスイッチを備えている。操作部１６は、ディップスイッチの状態に応じた操作信号をスイッチ制御部１４１に出力する。操作信号には、選択情報が含まれている。選択情報は、選択部１５が選択値を選択するための情報である。具体的には、選択情報には、モジュール情報と光源情報とが含まれている。モジュール情報とは、機能モジュール４の種類に関する情報である。光源情報とは、光源５の種類に関する情報である。選択部１５は、操作信号に含まれる選択情報に基づいて、選択値を選択する。
【００３２】
（２．２）制御部
制御部２は、光源５を点灯させる点灯部３を制御するように構成されている。具体的には、制御部２は、機能モジュール４の出力に基づいて、点灯部３の制御部３４に点灯制御信号を出力することにより、点灯部３を制御する。点灯制御信号には、光源５の点灯、消灯、調光度等を指示する情報が含まれている。
【００３３】
また、制御部２は、電源回路１を動作電源とし、電源回路１（電圧変換部１３）から供給される電力によって動作するように構成されている。制御部２は、例えば、メモリ及びプロセッサを備えるマイクロコントローラで構成される。つまり、プロセッサがメモリに格納されたプログラムを実行することで、マイクロコントローラが制御部２して機能する。
【００３４】
（２．３）機能モジュール
機能モジュール４は、照明装置１００（点灯装置１０）に対して、光源５の制御に関わる機能を追加する機能モジュールである。機能モジュール４は、制御信号を制御部２に出力する。制御部２は、機能モジュール４からの制御信号に基づいて、点灯制御信号を点灯部３に出力する。
【００３５】
本実施形態の照明装置１００に採用可能な機能モジュール４には、複数の種類がある。つまり、制御部２は、複数種類の機能モジュール４に対応している。機能モジュール４の種類の一例として、周囲の環境情報を取得するセンサ、無線通信可能な無線ユニット等がある。制御部２には、複数種類の機能モジュール４のうち少なくとも１種類の機能モジュール４が接続される。本実施形態では、制御部２には、１種類の機能モジュール４が接続されている。なお、制御部２には、２種類以上の機能モジュール４が接続されてもよい。
【００３６】
センサは、例えば、周囲の環境情報として検知エリアにおける人の存否を検知する人感センサ、周囲の環境情報として検知エリアにおける明るさを検出する明るさセンサ等がある。
【００３７】
人感センサは、人の検知結果を示す制御信号を制御部２に出力する。例えば、制御部２は、人感センサが人を検知すると、点灯指示を含む点灯制御信号を、点灯部３の制御部３４に出力することにより、点灯部３に光源５を点灯させる。人感センサには、パッシブ型人感センサと、アクティブ型人感センサと、がある。パッシブ型人感センサとは、例えば、赤外線センサ（焦電センサ）を備えており、検知エリアにおける赤外線を検出することにより、検知エリアにおける人の存否を検知する人感センサである。アクティブ型人感センサとは、例えば、電波を送信及び受信するドップラセンサを備えており、電波の送信波と受信波との周波数差に基づいて、検知エリアにおける人の存否を検知する人感センサである。
【００３８】
明るさセンサとは、例えば、フォトダイオード等の受光素子を備えており、検知エリアにおける明るさを検出する。明るさセンサは、明るさの検出結果を示す制御信号を制御部２に出力する。制御部２は、明るさセンサの検出結果が閾値を下回る（暗くなる）と、点灯指示を含む点灯制御信号を、点灯部３の制御部３４に出力することにより、点灯部３に光源５を点灯させる。
【００３９】
無線ユニットとは、例えば赤外線信号等の無線信号を受信する受信ユニットであり、リモートコントローラから送信された無線信号（赤外線信号）を受信する。無線通信ユニットは、受信した無線信号に含まれる制御内容に基づいた制御信号を制御部２に出力する。無線信号に含まれる制御内容とは、例えば、光源５の点灯、消灯、調光度等の指示である。制御部２は、無線ユニットからの制御信号に基づいて、点灯制御信号を点灯部３の制御部３４に出力する。
【００４０】
機能モジュール４は、種類ごとに消費電力の大きさが異なる場合がある。例えば、機能モジュール４がアクティブ型人感センサである場合の消費電力は、機能モジュール４がパッシブ型人感センサである場合の消費電力よりも大きい。
【００４１】
（２．４）点灯部
点灯部３は、整流部３１と、力率改善回路３２と、電圧変換部３３と、制御部３４と、を備えている。
【００４２】
整流部３１は、例えば複数のダイオードを有するダイオードブリッジ回路（整流回路）である。本実施形態では、整流部３１は、全波整流回路である。整流部３１には、交流電源６（例えば商用電源）から交流電圧が入力される。整流部３１は、交流電圧を全波整流して出力する。
【００４３】
力率改善回路３２（PFC:Power Factor Correction）は、整流部３１の後段に電気的に接続されている。力率改善回路３２は、例えば昇圧チョッパ回路であり、整流部３１の出力電圧を所定の電圧値まで昇圧する。
【００４４】
電圧変換部３３は、力率改善回路３２の後段に電気的に接続されている。電圧変換部３３は、例えば降圧チョッパ回路である。電圧変換部３３は、入力電圧を降圧して光源５に出力することにより、光源５を点灯させる。
【００４５】
制御部３４は、電圧変換部３３を制御することにより、電圧変換部３３が光源５に供給する点灯電力を制御する。具体的には、制御部３４は、電圧変換部３３における降圧チョッパ回路のスイッチング素子のオン／オフを制御することにより、電圧変換部３３が光源５に供給する点灯電力を制御する。制御部３４は、制御部２からの点灯制御信号に基づいて、電圧変換部３３を制御する。制御部３４は、例えば、メモリ及びプロセッサを備えるマイクロコントローラで構成される。つまり、プロセッサがメモリに格納されたプログラムを実行することで、マイクロコントローラが制御部３４して機能する。なお、制御部２と制御部３４とは、１つのマイクロコントローラで構成されていてもよい。つまり、プロセッサがメモリに格納されたプログラムを実行することで、マイクロコントローラが制御部２、及び制御部３４して機能する。
【００４６】
（２．５）光源
光源５は、例えばＬＥＤを備えている。具体的には、光源５は、電気的に直列又は並列に接続された複数のＬＥＤチップを備えている。
【００４７】
また、本実施形態の照明装置１００に採用可能な光源５には、複数の種類がある。ここでの「光源５の種類」とは、光源５の定格光束の大きさに応じた分類である。つまり、光源５は、種類ごとに定格光束の大きさが異なる。光源５の定格光束は、例えばＬＥＤチップの個数に応じて異なる。定格光束が大きいほど、光源５の消費電力が大きくなり、定格光束が小さいほど、光源５の消費電力が小さくなる。したがって、光源５は、種類ごとに消費電力の大きさが異なる。
【００４８】
点灯部３には、複数種類の光源５のうち少なくとも１種類の光源５が接続される。本実施形態では、点灯部３には、１種類の光源５が接続されている。なお、点灯部３には、２種類以上の光源５が接続されてもよい。
【００４９】
（２．６）器具本体
本実施形態の照明装置１００は、機能モジュール４の種類に応じた種類の器具本体が採用される。
【００５０】
図３に、機能モジュール４としてアクティブ型人感センサ４Ａを採用した場合における照明装置１００Ａの斜視図を示す。
【００５１】
照明装置１００Ａは、いわゆる階段通路誘導灯であり、例えば、建物の避難経路となる階段の踊り場の壁面に設置される。照明装置１００Ａの器具本体１０１Ａは、点灯装置１０、機能モジュール４（アクティブ型人感センサ４Ａ）、及び光源５を保持している。器具本体１０１Ａは、長尺状である。光源５は、器具本体１０１Ａの長手方向に沿って配置されている。機能モジュール４（アクティブ型人感センサ４Ａ）は、器具本体１０１Ａの長手方向の中央部において、その短手方向の一面に配置されている。また、照明装置１００Ａは、器具本体１０１Ａの長手方向の両端部に、非常時に点灯する誘導灯１０２が設けられている。照明装置１００Ａは、例えば階段の踊り場のドアが開いた際に、アクティブ型人感センサ４Ａがドアの動きを検知し、光源５が点灯させることができる。
【００５２】
図４に、機能モジュール４としてパッシブ型人感センサ４Ｂを採用した場合における照明装置１００Ｂの斜視図を示す。
【００５３】
照明装置１００Ｂは、いわゆる室内灯であり、例えば、建物の部屋の天井に設置されるである。照明装置１００Ｂの器具本体１０１Ｂは、点灯装置１０、機能モジュール４（パッシブ型人感センサ４Ｂ）、及び光源５を保持している。器具本体１０１Ｂは、長尺状である。光源５は、器具本体１０１Ｂの長手方向に沿って配置されている。機能モジュール４（パッシブ型人感センサ４Ｂ）は、器具本体１０１Ｂの長手方向の一端部に配置されている。照明装置１００Ｂは、例えばパッシブ型人感センサ４Ｂの検知エリアに人が進入した際に、パッシブ型人感センサ４Ｂが人を検知し、光源５を点灯させることができる。
【００５４】
図５に、機能モジュール４に無線ユニット４Ｃを採用した場合における照明装置１００Ｃの斜視図を示す。
【００５５】
照明装置１００Ｃは、いわゆる室内灯であり、例えば、建物の部屋の天井に設置される。照明装置１００Ｃの器具本体１０１Ｃは、点灯装置１０、機能モジュール４（無線ユニット４Ｃ）、及び光源５を保持している。器具本体１０１Ｃは、長尺状である。光源５は、器具本体１０１Ｃの長手方向に沿って配置されている。機能モジュール４（無線ユニット４Ｃ）は、器具本体１０１Ｃ内において器具本体１０１Ｃの外側からの無線信号を受信可能な位置に配置されている。照明装置１００Ｃは、例えばリモートコントローラから、制御内容が点灯を示す無線信号を無線ユニット４Ｃが受信すると、光源５を点灯させる。
【００５６】
（３）動作例
次に、照明装置１００の動作について説明する。ここでは、電源回路１の選択部１５よる、複数の抵抗値（第１抵抗値、第２抵抗値）から、抵抗調整部１４が直列回路１２０の両端間の抵抗値に設定する選択値を選択する動作について説明する。
【００５７】
照明装置１００の組み立ての作業者は、照明装置１００に採用されている機能モジュール４の種類、及び光源５の種類に応じたユーザ操作を操作部１６に行う。操作部１６は、ユーザ操作に応じた選択情報を含む操作信号を選択部１５に出力する。つまり、操作信号に含まれる選択情報において、モジュール情報は、照明装置１００に採用されている機能モジュール４の種類を示し、光源情報は、照明装置１００に採用されている光源５の種類を示している。言い換えれば、モジュール情報は、制御部２に接続された機能モジュール４の種類に関する情報であり、光源情報は、点灯部３に接続された光源５の種類に関する情報である。
【００５８】
選択部１５は、操作部１６からの操作信号に含まれる選択情報に基づいて、複数の抵抗値（第１抵抗値、第２抵抗値）から、抵抗調整部１４が直列回路１２０の両端間の抵抗値に設定する選択値を選択する。具体的には、選択部１５は、選択情報に基づいて、照明装置１００が日本工業規格“JIS C 61000-3-2”の高調波電流発生限度値の規格を満足するように、選択値を選択する。
【００５９】
“JIS C 61000-3-2”において、照明装置１００はクラスＣに分類されているが、照明装置１００の消費電力が２５〔Ｗ〕以下である場合に限り、クラスＤの規格が適用される。したがって、照明装置１００の消費電力（有効入力電力）が、２５〔Ｗ〕以下の場合と２５〔Ｗ〕を超える場合とで、高調波電流（歪み電流）の限度値の算出条件が異なる。照明装置１００の消費電力が２５〔Ｗ〕以下である場合（クラスＤ）、高調波電流の限度値は、消費電力に比例値で求められる。照明装置１００の消費電力が２５〔Ｗ〕を超える場合、高調波電流の限度値は、照明装置１００の消費電流に対する比（百分率）で求められる。
【００６０】
例えば、照明装置１００の消費電力が２４〔Ｗ〕であるとする。この場合、クラスＤの規格が適用され、７次の高調波電流の限度値は、２４〔Ｗ〕×１．１５〔ｍＡ／Ｗ〕＝２８〔ｍＡ〕となる。
【００６１】
また、例えば、照明装置１００の消費電力が２６〔Ｗ〕であり、消費電流が１３８．５〔ｍＡ〕であるとする。この場合、クラスＣの規格が適用され、７次の高調波電流の限度値は、１３８．５〔ｍＡ〕×０．０７＝１０〔ｍＡ〕となる。
【００６２】
また、例えば、照明装置１００の消費電力が４０〔Ｗ〕であり、消費電流が２３９．７〔ｍＡ〕であるとする。この場合、クラスＣの規格が適用され、７次の高調波電流の限度値は、２３９．７〔ｍＡ〕×０．０７＝１７〔ｍＡ〕となる。
【００６３】
このように、照明装置１００は、クラスＤの規格が適用される場合、クラスＣの規格が適用される場合よりも消費電力が小さいにもかかわらず、高調波電流の限度値が大きくなる。また、クラスＣの規格が適用される場合、消費電力が２５〔Ｗ〕に近いほど、高調波電流の限度値が小さくなる。したがって、クラスＣの規格が適用される範囲内において、消費電力が小さいほど、高調波電流の限度値が小さくなるので、高調波電流を低減させる必要がある。
【００６４】
高調波電流を低減させるためには、平滑部１２におけるコンデンサＣ１に流れる充電電流を制限する方法がある。コンデンサＣ１には、インピーダンス要素１２１（固定抵抗器Ｒ１）が直列接続されており、このインピーダンス要素１２１（固定抵抗器Ｒ１）がコンデンサＣ１の充電電流を制限する制限抵抗として機能する。
【００６５】
また、本実施形態の電源回路１では、コンデンサＣ１に直列接続されたインピーダンス要素１２１（固定抵抗器Ｒ１）に、スイッチＱ１が並列接続されている。したがって、スイッチＱ１がオン／オフすることにより、インピーダンス要素１２１（固定抵抗器Ｒ１）による制限抵抗としての無効／有効にすることができる。
【００６６】
図６に、電源回路１における、入力電圧、スイッチＱ１がオン状態である場合の入力電流、スイッチＱ１がオフ状態である場合の入力電流それぞれのグラフを示す。スイッチＱ１がオン状態である場合の入力電流のピーク値をＰ１、入力電流の導通角をθ１とする。スイッチＱ１がオフ状態である場合の入力電流のピーク値をＰ２、入力電流の導通角をθ２とする。スイッチＱ１がオフ状態である場合、インピーダンス要素１２１（固定抵抗器Ｒ１）による制限抵抗としての機能が有効となり、コンデンサＣ１の充電電流が制限される。したがって、スイッチＱ１がオフ状態である場合、スイッチＱ１がオン状態である場合に比べて、入力電流のピーク値が小さくなり（Ｐ２＜Ｐ１）、入力電流の導通角が大きくなる（θ２＞θ１）。これにより、スイッチＱ１がオフ状態である場合、スイッチＱ１がオン状態である場合に比べて、高調波電流が低減する。
【００６７】
しかしながら、スイッチＱ１がオフ状態である場合、インピーダンス要素１２１（固定抵抗器Ｒ１）に電流が流れるため、スイッチＱ１がオン状態である場合に比べて消費電力が大きくなる。また、インピーダンス要素１２１（固定抵抗器Ｒ１）から熱が発生する。
【００６８】
本実施形態の電源回路１では、選択部１５は、選択情報に基づいて、高調波電流の限度値の規格を満足し、かつ消費電力が小さくなるように、複数の値（第１抵抗値、第２抵抗値）から選択値を選択する。
【００６９】
ここでは、一例として、表１に示すように、照明装置１００に採用可能な光源５の種類に、第１光源５ａ、第２光源５ｂ、第３光源５ｃ、第４光源５ｄがあるとする。また、照明装置１００に採用可能な機能モジュール４の種類に、第１機能モジュール４ａ、第２機能モジュール４ｂがあるとする。
【００７０】
【表１】
2019068615.tif 000003
【００７１】
第１光源５ａ〜第４光源５ｄにおける消費電力（定格光束）の大小関係は、第１光源５ａ＜第２光源５ｂ＜第３光源５ｃ＜第４光源５ｄである。第１機能モジュール４ａ及び第２機能モジュール４ｂにおける消費電力の大小関係は、第１機能モジュール４ａ＜第２機能モジュール４ｂである。
【００７２】
表１に示すように、光源５の種類が第１光源５ａである場合、機能モジュール４の種類が第１機能モジュール４ａと第２機能モジュール４ｂとのいずれであっても、クラスＤの規格が適用される。また、光源５の種類が第２光源５ｂである場合、機能モジュール４の種類が第１機能モジュール４ａであればクラスＤの規格が適用され、機能モジュール４の種類が第２機能モジュール４ｂであればクラスＣが適用される。また、光源５の種類が第３光源５ｃ又は第４光源５ｄである場合、機能モジュール４の種類が第１機能モジュール４ａと第２機能モジュール４ｂとのいずれであっても、クラスＣの規格が適用される。
【００７３】
選択部１５は、選択情報に基づいて、つまり照明装置１００に採用されている光源５の種類と、機能モジュール４の種類との組み合わせに基づいて、選択値を選択する。
【００７４】
具体的には、クラスＤの規格が適用される場合、クラスＣの規格が適用される場合に比べて高調波電流の限度値が大きい。したがって、光源５の種類と機能モジュール４の種類とがクラスＤの規格が適用される組み合わせである場合、インピーダンス要素１２１（固定抵抗器Ｒ１）による制限抵抗としての機能が無効であっても、高調波電流の限度値の規格を満足することができる。そこで、選択部１５は、光源５の種類と機能モジュール４の種類とがクラスＤの規格が適用される組み合わせである場合、選択値として第２抵抗値を選択する。第２抵抗値は、スイッチＱ１がオン状態である場合（インピーダンス要素１２１による制限抵抗としての機能が無効である場合）における直列回路１２０の両端間の抵抗値である。
【００７５】
また、クラスＣの規格が適用される場合、消費電力が小さいほど高調波電流の限度値が小さくなる。したがって、クラスＣの規格が適用される範囲内において、消費電力が比較的小さい場合、インピーダンス要素１２１（固定抵抗器Ｒ１）による制限抵抗としての機能を有効にして、クラスＣの規格を満足させる必要がある。そこで、選択部１５は、光源５の種類と機能モジュール４の種類との組み合わせが、第２光源５ｂと第２機能モジュール４ｂとのペア、又は第３光源５ｃと第１機能モジュール４ａとのペアである場合、選択値として第１抵抗値を選択する。第１選択値は、スイッチＱ１がオフ状態である場合（インピーダンス要素１２１による制限抵抗としての機能が有効である場合）における直列回路１２０の両端間の抵抗値である。
【００７６】
また、クラスＣの規格が適用される範囲内において、消費電力が比較的大きい場合、インピーダンス要素１２１（固定抵抗器Ｒ１）による制限抵抗としての機能が無効であっても、高調波電流の限度値の規格を満足することができる。そこで、選択部１５は、光源５の種類と機能モジュール４の種類との組み合わせが、第３光源５ｃと第２機能モジュール４ｂとのペア、第４光源５ｄと第１機能モジュール４ａ（又は第２機能モジュール４ｂ）とのペアのいずれかである場合、選択値として第２抵抗値を選択する。
【００７７】
光源５の種類と機能モジュール４の種類との組み合わせと、選択値とが対応付けられた対応データは、予めメモリに記憶されている。選択部１５は、操作部１６からの操作信号に含まれる選択情報に基づいて、メモリに記憶された対応データから、照明装置１００に採用されている光源５の種類と機能モジュール４の種類との組み合わせに対応する選択値を選択する。選択部１５は、選択した選択値のデータをスイッチ制御部１４１に出力する。スイッチ制御部１４１は、平滑部１２における直列回路１２０の両端間の抵抗値が、選択部１５から受け取った選択値となるようにスイッチＱ１をオン／オフする。
【００７８】
これにより、電源回路１を備える照明装置１００は、高調波電流の限度値の規格を満足し、かつ消費電力の低減を図ることができる。また、インピーダンス要素１２１（固定抵抗器Ｒ１）による発熱が抑制されるので、照明装置１００（電源回路１）の長寿命化を図ることができる。
【００７９】
また、電源回路１は、複数種類の機能モジュール４、及び複数種類の光源５に対応することができ、機能モジュール４の種類と光源５の種類との組み合わせパターンに関わらず、電源回路１を共通化することができる。
【００８０】
（４）変形例
（４．１）第１変形例
第１変形例に係る電源回路１Ａのブロック図を図７に示す。本変形例の電源回路１Ａは、操作部１６（図１、図２参照）の代わりに、取得部１７を備えている点が上述した電源回路１（図１、図２参照）と異なる。なお、上述した電源回路１と同様の構成については、同一の符号を付して説明を省略する。
【００８１】
取得部１７は、機能モジュール４からモジュール情報を取得し、点灯部３の制御部３４から光源情報を取得するように構成されている。取得部１７は、例えば、メモリ及びプロセッサを備えるマイクロコントローラで構成される。つまり、プロセッサがメモリに格納されたプログラムを実行することで、マイクロコントローラが取得部１７して機能する。
【００８２】
本変形例では、取得部１７、機能モジュール４、制御部３４のそれぞれは、通信機能を有している。例えば、取得部１７、機能モジュール４、制御部３４は、それぞれＵＡＲＴ（Universal Asynchronous Receiver/Transmitter）を備えている。
【００８３】
本変形例の機能モジュール４は、自身（機能モジュール４）の種類を示すモジュール情報を、シリアル信号で取得部１７に送信するように構成されている。また、本変形例の制御部３４は、点灯部３に電気的に接続された光源５の種類を示す光源情報を、シリアル信号で取得部１７に送信するように構成されている。
【００８４】
取得部１７は、機能モジュール４及び制御部３４からのシリアル信号を受信することにより、モジュール情報及び光源情報を含む選択情報を取得する。取得部１７は、取得した選択情報を選択部１５に送信する。
【００８５】
選択部１５は、取得部１７が取得した選択情報に基づいて、抵抗調整部１４が直列回路１２０の両端間の抵抗値に設定する選択値を選択する。
【００８６】
なお、取得部１７が取得した選択情報、あるいは選択部１５が選択した選択値は、メモリに記憶される。したがって、取得部１７による選択情報の取得は、一度きりであってもよい。つまり、照明装置１００の電源がオンする毎に、取得部１７が、機能モジュール４及び点灯部３（制御部３４）と通信を行う必要がない。取得部１７による選択情報の取得は、例えば出荷前の検査時に行われる。
【００８７】
本変形例では、取得部１７が、機能モジュール４からモジュール情報を取得し、点灯部３の制御部３４から光源情報を取得するように構成されているので、作業者が操作部１６にユーザ操作を行う手間を省くことができる。また、操作部１６が不要となるので、電源回路１Ａの小型化を図ることができる。
【００８８】
なお、取得部１７による選択情報の取得は、上記の方法に限らない。例えば、取得部１７は、機能モジュール４が制御部２に出力する制御信号に基づいて、モジュール情報を取得してもよい。また、取得部１７は、機能モジュール４及び点灯部３の制御部３４と電気的に接続された制御部２から、選択情報（モジュール情報及び光源情報）を取得するように構成されていてもよい。
【００８９】
なお、取得部１７は、選択部１５、スイッチ制御部１４１と同じマイクロコントローラで構成されていてもよい。つまり、プロセッサがメモリに格納されたプログラムを実行することで、マイクロコントローラが取得部１７、選択部１５、スイッチ制御部１４１として機能してもよい。
【００９０】
（４．２）その他の変形例
以下に、電源回路１，１Ａのその他の変形例について列挙する。
【００９１】
上述した例では、抵抗調整部１４は、平滑部１２における直列回路１２０の両端間の抵抗値を、２つの値（第１抵抗値、第２抵抗値）に設定可能に構成されていたが、３つ以上の値に設定可能に構成されていてもよい。例えば、抵抗調整部１４は、図８に示すように、インピーダンス要素１２１に対して電気的に並列接続された並列回路１４０を備えていてもよい。並列回路１４０は、固定抵抗器Ｒ２とスイッチＱ２との直列回路と、スイッチＱ１とが並列接続されている。スイッチ制御部１４１は、スイッチＱ１，Ｑ２を制御する。スイッチＱ１，Ｑ２オン／オフの組み合わせにより、平滑部１２における直列回路１２０の両端間の抵抗値を、３つの値に設定可能となる。これにより、インピーダンス要素１２１による消費電力をより細かく調整することできる。したがって、電源回路１を備える照明装置１００は、高調波電流の限度値の規格を満足し、かつ消費電力のさらなる低減を図ることができる。なお、並列回路１４０は、スイッチと固定抵抗器との直列回路を２つ以上備えていてもよい。これにより、平滑部１２における直列回路１２０の両端間の抵抗値を、さらに多くの値に設定可能となる。
【００９２】
また、図９に示すように、平滑部１２におけるインピーダンス要素が１２１が複数の固定抵抗器Ｒ１１、Ｒ１２、…、Ｒｎの並列回路で構成されていてもよい。固定抵抗器Ｒ１１〜Ｒｎの抵抗値は、互いに同じ抵抗値であってもよいし、異なる抵抗値であってもよい。抵抗調整部１４は、固定抵抗器Ｒ１１、Ｒ１２、…、Ｒｎそれぞれに電気的に直列接続されたスイッチＱ１１、Ｑ１２、…、Ｑｎと、インピーダンス要素１２１に並列接続されたスイッチＱ１と、を備える。抵抗調整部１４は、スイッチＱ１、Ｑ１１〜Ｑｎのうち少なくとも１つのスイッチをオンすることにより、平滑部１２における直列回路１２０の両端間の抵抗値をより細かく設定することができる。例えば、光源５の種類と機能モジュール４の種類との組み合わせと、スイッチＱ１、Ｑ１１〜Ｑｎのうちオンする１乃至複数のスイッチとが対応付けられている。抵抗調整部１４は、スイッチＱ１、Ｑ１１〜Ｑｎのうち、照明装置１００に採用されている光源５の種類と機能モジュール４の種類との組み合わせに対応する１乃至複数のスイッチをオンする。なお、図９に示した抵抗調整部１４において、インピーダンス要素１２１に並列接続されているスイッチＱ１は必須ではなく、省略可能である。
【００９３】
また、平滑部１２におけるインピーダンス要素１２１は、固定抵抗器Ｒ１に限らない。例えば、インピーダンス要素１２１は、インダクタ等であってもよい。
【００９４】
また、インピーダンス要素１２１は、可変抵抗器で構成されていてもよい。この場合、抵抗調整部１４は、可変抵抗器の抵抗値を変化させることにより、平滑部１２における直列回路１２０の両端間の抵抗値を、複数の値に設定可能となる。
【００９５】
（５）まとめ
第１態様に係る電源回路（１，１Ａ）は、光源（５）の制御に関わる機能を追加する機能モジュール（４）の出力に基づいて、光源（５）を点灯させる点灯部（３）を制御する制御部（２）に、電力を供給する。電源回路（１，１Ａ）は、整流部（１１）と、平滑部（１２）と、電圧変換部（１３）と、を備える。整流部（１１）は、交流電圧を整流する。平滑部（１２）は、整流部（１１）の出力電圧を平滑する。電圧変換部（１３）は、平滑部（１２）によって平滑された電圧を所定電圧に変換して制御部（２）に出力する。平滑部（１２）は、整流部（１１）の出力端間に電気的に直列接続されたコンデンサ（Ｃ１）とインピーダンス要素（１２１）とを含む直列回路（１２０）を有する。電源回路（１，１Ａ）は、直列回路（１２０）の両端間の抵抗値を、複数の値に設定可能な抵抗調整部（１４）を更に備える。抵抗調整部（１４）は、抵抗値を、複数の値から選択された１つの選択値に設定する。
【００９６】
この態様によれば、コンデンサインプット型の平滑部（１２）において、平滑部（１２）における高調波電流、及び消費電力を調整することができる。これにより、高調波電流の限度値の規格を満足し、かつ消費電力の低減を図ることができる。
【００９７】
また、平滑部（１２）がコンデンサインプット型であるので、力率改善回路に比べて構成の簡略化し、コストの低下を図ることができる。
【００９８】
第２態様に係る電源回路（１，１Ａ）では、第１態様において、抵抗調整部（１４）は、スイッチ（Ｑ１）と、スイッチ制御部（１４１）と、を有する。スイッチ（Ｑ１）は、インピーダンス要素（１２１）と電気的に並列接続され、インピーダンス要素（１２１）の両端を短絡する状態と短絡しない状態とに切り替える。スイッチ制御部（１４１）は、スイッチ（Ｑ１）を制御する。
【００９９】
この態様によれば、スイッチ（Ｑ１）がオン／オフすることにより、直列回路（１２０）の両端間の抵抗値を複数の値に設定することがき、抵抗調整部（１４）の構成の簡略化を図ることができる。
【０１００】
第３態様に係る電源回路（１，１Ａ）では、第１又は第２態様において、制御部（２）は、複数種類の機能モジュール（４）のうち少なくとも１種類の機能モジュール（４）が接続される。選択値は、制御部（２）に接続された機能モジュール（４）の種類に関するモジュール情報が含まれる選択情報に基づいた値である。
【０１０１】
この態様によれば、直列回路（１２０）の両端間の抵抗値が機能モジュール（４）の種類に応じた選択値となる。したがって、機能モジュール（４）の種類に応じて、高調波電流の限度値の規格を満足し、かつ消費電力の低減を図ることができる。
【０１０２】
第４態様に係る電源回路（１，１Ａ）では、第３態様において、点灯部（３）は、複数種類の光源（５）のうち少なくとも１種類の光源（５）が接続される。選択情報には、点灯部（３）に接続された光源（５）の種類に関する光源情報が含まれる。
【０１０３】
この態様によれば、直列回路（１２０）の両端間の抵抗値が、機能モジュール（４）及び光源（５）の種類に応じた選択値となる。したがって、機能モジュール（４）及び光源（５）の種類に応じて、高調波電流の限度値の規格を満足し、かつ消費電力の低減を図ることができる。
【０１０４】
第５態様に係る電源回路（１，１Ａ）では、第３又は第４態様において、モジュール情報には、制御部（２）に接続された機能モジュール（４）である、周囲の環境情報を取得するセンサ（アクティブ型人感センサ４Ａ、パッシブ型人感センサ４Ｂ）の種類に関する情報が含まれる。
【０１０５】
この態様によれば、センサ（４Ａ，４Ｂ）の種類に応じて、高調波電流の限度値の規格を満足し、かつ消費電力の低減を図ることができる。
【０１０６】
第６態様に係る電源回路（１，１Ａ）では、第１〜第５態様のいずれかにおいて、操作部（１６）と、選択部（１５）と、を備える。操作部（１６）は、ユーザ操作を受け付ける。選択部（１５）は、操作部（１６）が出力する操作信号に基づいて、複数の値から選択値を選択する。
【０１０７】
この態様によれば、簡易な構成で、選択部（１５）が選択値を選択するための情報を入力することができる。
【０１０８】
第７態様に係る電源回路（１，１Ａ）では、第３又は第４態様において、取得部（１７）と、選択部（１５）と、を備える。取得部（１７）は、選択情報を取得する。選択部（１５）は、取得部（１７）が取得した選択情報に基づいて、複数の値から選択値を選択する。
【０１０９】
この態様によれば、選択部（１５）が選択値を選択するための情報を、作業者が入力する手間を省くことができる。
【０１１０】
第８態様に係る点灯装置（１０）は、第１〜第７態様のいずれかの電源回路（１，１Ａ）と、点灯部（３）と、制御部（２）と、を備える。点灯部（３）は、光源（５）を点灯させる。制御部（２）は、電源回路（１，１Ａ）から電力が供給され、光源（５）の制御に関わる機能を追加する機能モジュール（４）の出力に基づいて点灯部（３）を制御する。
【０１１１】
この態様によれば、点灯装置（１０）は、電源回路（１，１Ａ）を備えることにより、高調波電流の限度値の規格を満足し、かつ消費電力の低減を図ることができる。
【０１１２】
第９態様に係る照明装置（１００）は、第８態様の点灯装置（１０）と、光源（５）と、機能モジュール（４）と、を備える。光源（５）は、点灯部（３）によって点灯される。機能モジュール（４）は、制御部（２）に電気的に接続され、光源（５）の制御に関わる機能を追加する。
【０１１３】
この態様によれば、照明装置（１００）は、電源回路（１，１Ａ）を有する点灯装置（１０）を備えることにより、高調波電流の限度値の規格と満足し、かつ消費電力の低減を図ることができる。
【０１１４】
第２〜第７の態様に係る構成については、電源回路（１，１Ａ）の必須の構成ではなく、適宜省略可能である。
【符号の説明】
【０１１５】
１，１Ａ  電源回路
１１  整流部
１２  平滑部
１２０  直列回路
１２１  インピーダンス要素
１３  電圧変換部
１４  抵抗調整部
１４１  スイッチ制御部
１５  選択部
１６  操作部
１７  取得部
２  制御部
３  点灯部
４  機能モジュール
５  光源
１０  点灯装置
１００  照明装置
Ｃ１  コンデンサ
Ｑ１  スイッチ
【図１】
2019068615.tif 000004
【図２】
2019068615.tif 000005
【図３】
2019068615.tif 000006
【図４】
2019068615.tif 000007
【図５】
2019068615.tif 000008
【図６】
2019068615.tif 000009
【図７】
2019068615.tif 000010
【図８】
2019068615.tif 000011
【図９】
2019068615.tif 000012